(57)【要約】【課題】メモリーを効率的に使用することができる画像形成装置を提供する。【解決手段】画像形成装置１００は、記憶部２１と、制御部３１と、メモリー２２と、設定部３２と、選択部３３と、第１開放部３４とを備える。記憶部２１は、複数の機能を実現するプログラムを記憶する。制御部３１は、前記プログラムの全部又は一部を実行して前記複数の機能の全部又は一部を実現する。メモリー２２は、制御部３１が前記プログラムを実行するための作業領域として使用する。設定部３２は、前記複数の機能のうちメモリー２２を使用している複数の第１機能を算出し、前記複数の第１機能の各々に対し停止候補となる優先順位を設定する。選択部３３は、前記優先順位に基づいて、前記複数の第１機能のうち停止させる第２機能を選択する。第１開放部３４は、前記第２機能を停止させると共に、メモリー２２のうち前記第２機能が使用している領域を開放する。【選択図】図２
2018207474.tif 000002
【特許請求の範囲】
【請求項１】
複数の機能を実現するプログラムを記憶する記憶部と、
前記プログラムの全部又は一部を実行して前記複数の機能の全部又は一部を実現する制御部と、
前記制御部が前記プログラムを実行するための作業領域として使用するメモリーと、
前記複数の機能のうち前記メモリーを使用している複数の第１機能を算出し、前記複数の第１機能の各々に対し停止候補となる優先順位を設定する設定部と、
前記優先順位に基づいて、前記複数の第１機能のうち停止させる第２機能を選択する選択部と、
前記第２機能を停止させると共に、前記メモリーのうち前記第２機能が使用している領域を開放する第１開放部と
を備える、画像形成装置。
【請求項２】
前記設定部は、前記複数の第１機能の各々の前記メモリーの使用量と、前記複数の第１機能の各々の実現回数とに基づいて、前記優先順位を設定する、請求項１に記載の画像形成装置。
【請求項３】
前記設定部は、
前記複数の第１機能のうち、前記実現回数が少ない第１機能ほど、前記優先順位の上位に設定し、
前記実現回数の等しい第１機能が複数ある場合、前記実現回数の等しい前記複数の第１機能のうち、前記メモリーの使用量が多い第１機能ほど、前記優先順位の上位に設定する、請求項２に記載の画像形成装置。
【請求項４】
前記選択部は、実現中でない複数の前記第１機能のうち、前記優先順位が最上位の第１機能を前記第２機能として選択する、請求項１から請求項３のいずれか１項に記載の画像形成装置。
【請求項５】
前記制御部が前記複数の機能のうち少なくとも１つの機能を実現する際、前記メモリーの容量が不足すると、前記メモリーのうち前記第２機能が使用している領域を前記第１開放部が開放する、請求項１から請求項４のいずれか１項に記載の画像形成装置。
【請求項６】
前記メモリーの容量不足が解消されるまで、前記選択部と前記第１開放部とが開放処理を繰り返し、
前記開放処理は、前記選択部が前記第２機能を選択し、前記メモリーのうち前記第２機能の使用している領域を前記第１開放部が開放する処理を示す、請求項５に記載の画像形成装置。
【請求項７】
前記第２機能を示す情報を表示する表示部をさらに備える、請求項１から請求項６に記載の画像形成装置。
【請求項８】
前記第２機能が無い場合、前記制御部が処理中のジョブのデータと、前記ジョブの設定内容とを前記記憶部に記憶させる記憶制御部と、
前記ジョブのデータと前記ジョブの設定内容とが前記記憶部に記憶されると、前記複数の機能により使用されている前記メモリーの領域を開放する第２開放部と
をさらに備え、
前記メモリーの領域が開放されると、前記制御部は、前記複数の機能のうち前記ジョブの実行に必要な機能を起動して、前記ジョブを実行する、請求項１から請求項７のいずれか１項に記載の画像形成装置。
【請求項９】
前記制御部は、前記ジョブを実行する際、前記ジョブのデータと前記ジョブの設定内容とを前記メモリーの領域に復元する、請求項８に記載の画像形成装置。
【請求項１０】
エラー表示部をさらに備え、
前記ジョブの実行中に前記メモリーの容量が不足すると、前記エラー表示部がエラー表示を行うように、前記制御部が前記エラー表示部を制御する、請求項８又は請求項９に記載の画像形成装置。
【発明の詳細な説明】
【技術分野】
【０００１】
本発明は、画像形成装置に関する。
【背景技術】
【０００２】
特許文献１に記載の画像形成装置は、メモリー制御部を備える。メモリー制御部は、画像処理モジュールがある動作モードの画像処理を実行するときに内蔵メモリーで足りるか否かを判別する。メモリー制御部は、内蔵メモリーでは不足すると判別したとき、その動作モードで使用されない他の画像処理モジュールの内蔵メモリーの一部又は全部で不足分を補完できるか否かを判別する。メモリー制御部は、補完できると判別したとき、不足分を借用するため他の画像処理モジュールの内蔵メモリーの一部又は全部を選択する。
【先行技術文献】
【特許文献】
【０００３】
【特許文献１】特開２００９−９８７７１号公報
【発明の概要】
【発明が解決しようとする課題】
【０００４】
しかし、メモリー不足が発生した場合、借用するメモリーが、他の画像処理モジュールの内蔵メモリーに限定される。そこで、他の画像処理モジュールの内蔵メモリーを借用してもメモリー不足が解消されない場合、メモリーを増設して対応する方法がある。しかし、メモリーの増設費用がかかり、コストの点で不利である。従って、装置に標準装備のメモリーで対応する方が好ましい。しかし、メモリーを増設することなく、標準装備のメモリーでメモリー不足に対応するには、メモリーのうち無駄に使用している領域を開放し、メモリーを効率的に使用する必要がある。
【０００５】
本発明は、上記課題に鑑みてなされたものであり、メモリーを効率的に使用することができる画像形成装置を提供することを目的としている。
【課題を解決するための手段】
【０００６】
本発明の一局面によれば、画像形成装置は、記憶部と、制御部と、メモリーと、設定部と、選択部と、第１開放部とを備える。記憶部は、複数の機能を実現するプログラムを記憶する。制御部は、前記プログラムの全部又は一部を実行して前記複数の機能の全部又は一部を実現する。メモリーは、前記制御部が前記プログラムを実行するための作業領域として使用する。設定部は、前記複数の機能のうち前記メモリーを使用している複数の第１機能を算出し、前記複数の第１機能の各々に対し停止候補となる優先順位を設定する。選択部は、前記優先順位に基づいて、前記複数の第１機能のうち停止させる第２機能を選択する。第１開放部は、前記第２機能を停止させると共に、前記メモリーのうち前記第２機能が使用している領域を開放する。
【発明の効果】
【０００７】
本発明によれば、メモリーを効率的に使用することができる。
【図面の簡単な説明】
【０００８】
【図１】本発明の実施形態に係る画像形成装置の概略構成図。
【図２】画像形成装置を示すブロック図。
【図３】優先順位を示す表。
【図４】設定部の動作を示すフローチャート。
【図５】制御装置の第１の動作を示すフローチャート。
【図６】制御装置の第２の動作を示すフローチャート。
【図７】リブート処理を示すフローチャート。
【発明を実施するための形態】
【０００９】
［第１実施形態］
本発明の第１実施形態について、図面を参照しながら説明する。なお、図中、同一又は相当部分については同一の参照符号を付して説明を繰り返さない。
【００１０】
図１を参照して、本発明の第１実施形態を示す画像形成装置１００について説明する。図１は、画像形成装置１００の概略構成図である。
【００１１】
図１に示すように、画像形成装置１００は、搬送部１と、読取部２と、入力部３と、カセット４と、給送ローラー５と、搬送ローラー６と、画像形成部７と、排出ローラー８とを備える。
【００１２】
搬送部１は、読取部２に向けてシートを搬送する。読取部２は、シートに形成された画像を走査して、画像を示す画像データを取得する。入力部３は、表示部３ａと、操作キー群３ｂとを含む。入力部３は、画像形成装置１００に対するユーザーからの指示を受け付ける。つまり、ユーザーは、入力部３を介して画像形成装置１００にジョブを入力する。表示部３ａは、タッチパネルであってもよい。ユーザーは、例えば、印刷を行う際、画質、及び／又は、シートのサイズを入力部３に入力し、画像形成装置１００に対し印刷条件を設定する。表示部３ａは、例えば、画像形成装置１００に不具合が発生した場合、エラー表示を行う。この場合、ユーザーは、例えば、入力部３を介してエラーを解除するための操作を行う。
【００１３】
カセット４は、シートを収容する。給送ローラー５は、カセット４内のシートを送出する。搬送ローラー６は、給送ローラー５から搬送されたシートを、画像形成部７に向けて送出する。
【００１４】
画像形成部７は、シートに画像を形成する。画像は、具体的には、トナー画像を示す。画像形成部７は、感光体ドラムと、帯電部と、露光部と、現像部と、転写部と、クリーニング部と、除電部とを含む。感光体ドラム、帯電部、露光部、現像部、及び転写部によって、シートに画像が形成される。クリーニング部は、感光体ドラムの表面に残留しているトナーを除去する。除電部は、感光体ドラムの表面の残留電荷を除去する。画像形成部７は、シートに画像を形成した後、シートを定着部に向けて送出する。定着部は、画像を加熱及び加圧してシートに定着させる。
【００１５】
排出ローラー８は、画像形成部７を通過したシートを画像形成装置１００の外部へ排出する。
【００１６】
次に、図２を参照して、画像形成装置１００についてさらに説明する。図２は、画像形成装置１００を示すブロック図である。
【００１７】
図２に示すように、画像形成装置１００は、インターフェイス部１０と、記憶装置２０と、制御装置３０とをさらに備える。
【００１８】
インターフェイス部１０は、外部端末であるＰＣ（Ｐｅｒｓｏｎａｌ  Ｃｏｍｐｕｔｅｒ）２００との間で行われる通信信号の送受信を行う。インターフェイス部１０とＰＣ２００とは、ネットワークを介して無線で接続される。なお、インターフェイス部１０とＰＣ２００とは、例えば、ＵＳＢケーブルを介して有線接続されていてもよい。
【００１９】
ＰＣ２００は、画像形成装置１００に対するユーザーからの指示を受け付ける。つまり、ユーザーは、ＰＣ２００を介して画像形成装置１００にジョブを入力する。例えば、ユーザーがＰＣ２００に対し画像の印刷を行うよう指示すると、ＰＣ２００から画像形成装置１００へ印刷対象の画像を示す画像データが送信される。そして、画像形成装置１００が画像を印刷する。
【００２０】
画像形成装置１００に不具合が発生した場合、不具合を示す情報が画像形成装置１００からＰＣ２００へ送信される。そして、ＰＣ２００の表示部が不具合を示す情報を表示し、ユーザーに不具合を通知する。
【００２１】
記憶装置２０は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。
【００２２】
記憶装置２０は、記憶部２１と、メモリー２２とを有する。
【００２３】
記憶部２１は、例えば、ＮＶＲＡＭ（Ｎｏｎ  Ｖｏｌａｔｉｌｅ  Ｍｅｍｏｒｙ）のような不揮発性メモリーで構成される。記憶部２１は、制御装置３０によって実行される種々のプログラムを記憶する。具体的には、記憶部２１は、複数の機能を実現し、画像形成装置１００の動作を制御するプログラムを記憶する。機能は、例えば、画像形成装置１００の各要素が単独又は協働して実現する機能を示す。機能は、例えば、画像形成機能、コピー機能、スキャン機能、及び、ネットワーク関連の機能（プロトコル）である。また、機能は、プロセスを含む。
プロセスは、例えば、画像形成装置１００の処理の単位を示す。プロセスは、例えば、コピーのプロセス、及び、ネットワークのプロセスである。ネットワークのプロセスは、機器の情報を取得するための機能、画像形成装置１００が外部機器との間でデータを送受信するための機能、及びネットワークのセキュリティー機能のような複数のネットワーク関連の機能で構成される。機器の情報を取得するための機能は、シートが不足した、ＪＡＭが発生した、及びトナー切れであるというような画像形成装置１００の状態をモニタリングする機能を示す。
【００２４】
記憶部２１は、画像形成装置１００の設定情報を記憶する。画像形成装置１００の設定情報は、例えば、印刷条件を示す情報、及びプロトコルの設定を示す情報のような複数の機能の各々を実現するために設定される情報である。
【００２５】
メモリー２２は、例えば、ＲＡＭ（Ｒａｎｄｏｍ  Ａｃｃｅｓｓ  Ｍｅｍｏｒｙ）のような半導体メモリーで構成される。
【００２６】
制御装置３０は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御装置３０は、画像形成装置１００の各要素を制御する。具体的には、プロセッサーは、記憶装置２０に記憶されたプログラムを実行することにより、搬送部１と、読取部２と、入力部３と、給送ローラー５と、搬送ローラー６と、画像形成部７と、排出ローラー８と、インターフェイス部１０と、記憶装置２０とを制御する。
【００２７】
制御装置３０は、制御部３１と、設定部３２と、選択部３３と、第１開放部３４と、記憶制御部３５と、第２開放部３６とを有する。具体的には、プロセッサーが、記憶装置２０に記憶されたコンピュータープログラムを実行することにより、制御部３１、設定部３２、選択部３３、第１開放部３４、記憶制御部３５、及び第２開放部３６として機能する。
【００２８】
制御部３１は、入力部３、又は、ＰＣ２００を介して入力されたジョブを示す情報を受信して、ジョブを実行する。ジョブを実行するとは、複数の機能のうちの少なくとも１つの機能を制御部３１が実現することを示す。
【００２９】
制御部３１は、記憶部２１に記憶されたプログラムの全部又は一部を実行して、搬送部１と、読取部２と、入力部３と、給送ローラー５と、搬送ローラー６と、画像形成部７と、排出ローラー８と、インターフェイス部１０と、記憶装置２０とを制御する。その結果、制御部３１は、複数の機能の全部又は一部を実現する。また、制御部３１は、プログラムを実行するための作業領域としてメモリー２２を使用する。つまり、複数の機能の各々が、実現される際に、又は、バックグラウンドで動く際にメモリー２２を使用する。
【００３０】
制御部３１が作業領域としてメモリー２２を使用する一例について説明する。まず、ＰＣ２００に対しシートに画像を形成する旨の指示が入力される。制御部３１は、記憶部２１に記憶された画像形成機能のプログラムを実行する。そして、ＰＣ２００が、シートに形成予定の画像を示す画像データを制御部３１に送信する。制御部３１は、画像データを受信してメモリー２２に記憶させる。つまり、制御部３１が作業領域としてメモリー２２を使用する。言い換えれば、画像形成機能が、メモリー２２を使用する。そして、制御部３１は、画像形成部７を制御し、メモリー２２に記憶された画像をシートに形成する。つまり、制御部３１が画像形成機能を実現する。なお、メモリー２２に記憶された画像は、詳細には、メモリー２２に記憶された画像データの示す画像である。
【００３１】
次に、図２及び図３を参照して、設定部３２、選択部３３、及び第１開放部３４について説明する。図３は、設定部３２が設定した優先順位を示す表である。
【００３２】
図３において、「第１機能」は、複数の機能のうちメモリー２２を使用している機能を示す。「メモリーの使用量」は、メモリー２２のうち複数の第１機能の各々が使用している領域を示す。「実現回数」は、複数の第１機能の各々の実行履歴を示す。
【００３３】
図２及び図３に示すように、設定部３２は、複数の機能のうちメモリー２２を使用している複数の第１機能を算出する。複数の第１機能の各々は、バックグラウンドで動いている。そして、設定部３２は、複数の第１機能の各々に対し停止候補となる優先順位を設定する。例えば、画像形成機能を実現する場合の停止候補となる機能は、画像処理には関連せず、停止しても印刷データの出力に影響しない機能を含む。また、画像形成機能を実現する場合の停止候補となる機能は、例えば、印刷データの受信に使用していないネットワークプロトコル、及び／又は、ＰＣ２００のような外部機器から画像形成装置１００の状態を監視するための機能を含む。
【００３４】
設定部３２は、複数の第１機能の各々のメモリー２２の使用量と、複数の第１機能の各々の実現回数とに基づいて、優先順位を設定する。複数の第１機能の各々の実現回数は、複数の第１機能の各々が過去に実現された回数を示す。
【００３５】
設定部３２は、複数の第１機能のうち、実現回数が少ない第１機能ほど、優先順位の上位に設定する。また、実現回数の等しい第１機能が複数ある場合、設定部３２は、実現回数の等しい複数の第１機能のうち、メモリー２２の使用量が多い第１機能ほど、優先順位の上位に設定する。第１実施形態では、Ａ機能の実現回数とＢプロトコルの実現回数とは、共に０回である。しかし、Ａ機能のメモリー２２の使用量５４３２１ＫＢは、Ｂプロトコルのメモリー２２の使用量１２３４５ＫＢよりも多い。従って、設定部３２は、Ａ機能の優先順位の方をＢプロトコルの優先順位よりも上位に設定する。また、Ｂプロトコルの実現回数０回は、Ｃ機能の実現回数１回よりも少ない。従って、設定部３２は、Ｂプロトコルの優先順位の方をＣ機能の優先順位よりも上位に設定する。
【００３６】
設定部３２は、優先順位を設定すると、優先順位を示す情報をメモリー２２に記憶する。
【００３７】
選択部３３は、設定部３２が設定した優先順位に基づいて、複数の第１機能のうち第２機能を選択する。詳細には、選択部３３は、実現中でない複数の第１機能のうち、優先順位が最上位の第１機能を第２機能として選択する。実現中でない複数の第１機能とは、選択部３３が第２機能を選択する時点で、バックグラウンドで動いているが、実現中でない複数の第１機能を示す。つまり、実現中でない複数の第１機能とは、バックグラウンドで動いているが、ユーザーが使用中でない複数の第１機能を示す。
【００３８】
第１開放部３４は、選択部３３が選択した第２機能を停止させる。つまり、第１開放部３４は、第２機能をバックグラウンドで実行されている状態から停止状態にする。停止状態にするとは、第２機能のプログラムを終了することを示す。さらに、第１開放部３４は、メモリー２２のうち第２機能が使用している領域を開放する。
【００３９】
以上、図２及び図３を参照して説明したように、設定部３２は、複数の第１機能の各々のメモリー２２の使用量と、複数の第１機能の各々の実現回数とに基づいて、優先順位を設定する。従って、選択部３３は、メモリー２２の使用量が多い第１機能、及び／又は、実現回数の少ない第１機能を第２機能に選択することができる。その結果、メモリー２２の使用可能な領域を効率的に増大させることができ、メモリー２２を効率的に使用することができる。
【００４０】
また、設定部３２は、複数の第１機能のうち、実現回数が少ない第１機能ほど、優先順位の上位に設定する。従って、実現回数が少ない第１機能ほど、停止されやすくなる。その結果、画像形成装置１００を効率的に稼働させることができる。
【００４１】
また、設定部３２は、実現回数の等しい複数の第１機能のうち、メモリー２２の使用量が多い第１機能ほど、優先順位の上位に設定する。従って、メモリー２２の容量不足を効率的に解消することができる。
【００４２】
次に、図３及び図４を参照して、設定部３２の動作について説明する。図４は、設定部３２の動作を示すフローチャートである。
【００４３】
図３及び図４に示すように、ステップＳ１において、設定部３２は、複数の第１機能の各々について、メモリー２２の使用量と、実行状況とをモニタリングする。
【００４４】
ステップＳ２において、モニタリングの結果、設定部３２は、優先順位を変更すると、変更後の優先順位を示す情報をメモリー２２に記憶する。つまり、設定部３２は、メモリー２２に記憶した優先順位を示す情報を更新する。そして、処理がステップＳ１に移行する。
画像形成装置１００が通電されている間、設定部３２は、ステップＳ１に示す処理とステップＳ２に示す処理とを実行し続ける。つまり、画像形成装置１００が通電されている間、設定部３２が優先順位を更新し続ける。
【００４５】
以上、図３及び図４を参照して説明したように、設定部３２は、複数の第１機能の各々について、メモリー２２の使用量と、実行状況とをモニタリングする。そして、画像形成装置１００が通電されている間、設定部３２が優先順位を更新し続ける。従って、画像形成装置１００の使用状況に対応した優先順位を設定することができる。
【００４６】
次に、図３及び図５を参照して、制御装置３０の第１の動作について説明する。図５は、制御装置３０の第１の動作を示すフローチャートである。
【００４７】
図３及び図５に示すように、ステップＳ１０において、制御部３１は、入力部３、又は、ＰＣ２００を介してジョブを示す情報を受信する。例えば、シートに形成された画像のコピーを行う場合、制御部３１は、コピー対象の画像を示す画像データを受信する。
【００４８】
ステップＳ２０において、制御部３１が、ジョブを実行し、ジョブの実行中にメモリー２２の容量が不足しているか否かを判定する。メモリー２２の容量が足りていると制御部３１が判定すると（ステップＳ２０で、Ｙｅｓ）、処理がステップＳ３０に移行する。メモリー２２の容量が不足していると制御部３１が判定すると（ステップＳ２０で、Ｎｏ）、処理がステップＳ４０に移行する。
【００４９】
ステップＳ３０において、制御部３１が、ジョブの実行を継続し、ジョブを完遂する。その結果、処理が終了する。
【００５０】
ステップＳ４０において、制御部３１が、ジョブの実行を停止する。そして、選択部３３が、メモリー２２から優先順位を示す情報を取得する。
【００５１】
ステップＳ５０において、選択部３３が、第２機能の有無を判定する。
【００５２】
第２機能が無い場合（ステップＳ５０で、Ｎｏ）、処理がステップＳ６０に移行する。
第２機能が無い場合は、優先順位のリストに示す複数の第１機能のうち第２機能として選択可能な機能が無い場合を示す。第２機能が無い場合は、例えば、優先順位のリストに示す第１機能の全てが実現中である場合を示す。第１実施形態では、Ａ機能、Ｂプロトコル、及び、Ｃ機能を含む全ての第１機能が実現中である場合は、第２機能が無い場合に該当する。また、第２機能が無い場合は、例えば、実現中でない第１機能の全てを停止してもメモリー２２の容量不足が解消されなかった場合を示す。
【００５３】
第２機能が有る場合（ステップＳ５０で、Ｙｅｓ）、処理がステップＳ７０に移行する。第２機能が有る場合は、優先順位のリストに示す複数の第１機能のうち、実現中でない第１機能が有る場合を示す。
【００５４】
ステップＳ６０において、制御部３１は、メモリー２２の容量不足を解消できない旨の判定を行う。そして、表示部３ａは、メモリー２２の容量不足を示すエラー表示を行う。従って、メモリー２２の容量不足が解消されない場合、表示部３ａは、エラー表示を行う。その結果、処理が終了する。
【００５５】
ステップＳ７０において、選択部３３が、優先順位に基づいて、第２機能を選択する。詳細には、選択部３３は、実現中でない複数の第１機能のうち、優先順位が最上位の第１機能を第２機能として選択する。そして、第１開放部３４は、第２機能を停止し、メモリー２２のうち第２機能が使用している領域を開放する。そして、第１開放部３４が第２機能を停止すると、設定部３２は優先順位を示すリストから第１開放部３４が停止した第２機能を削除する。
【００５６】
第１実施形態では、Ａ機能が実現中でないとする。この場合、まず、優先順位が１位であるＡ機能が停止候補となる。そして、選択部３３がＡ機能を第２機能として選択する。そして、第１開放部３４は、Ａ機能を停止し、メモリー２２のうちＡ機能が使用している領域である５４３２１ＫＢを開放する。そして、設定部３２は優先順位を示すリストからＡ機能を削除する。
【００５７】
また、Ａ機能が実現中であり、Ｂプロトコルが実現中でないとする。この場合、まず、優先順位が１位のＡ機能が停止候補となる。しかし、Ａ機能が使用されているので、選択部３３は、Ａ機能を第２機能として選択しない。そして、優先順位が２位のＢプロトコルが停止候補となる。Ｂプロトコルは実現中でないので、選択部３３は、Ｂプロトコルを第２機能として選択する。そして、第１開放部３４は、Ｂプロトコルを停止し、メモリー２２のうちＢプロトコルが使用している領域である１２３４５ＫＢを開放する。そして、設定部３２は優先順位を示すリストからＢプロトコルを削除する。
【００５８】
ステップＳ８０において、制御部３１が、再度ジョブを実行する。このとき、制御部３１は、ステップＳ２０で使用していたメモリー２２の領域に加えて、ステップＳ７０で第１開放部３４が開放したメモリー２２の領域も使用する。そして、制御部３１は、ジョブの実行中にメモリー２２の容量が不足しているか否かを判定する。つまり、制御部３１は、メモリー２２の容量不足が解消されたか否かを判定する。
【００５９】
メモリー２２の容量不足が解消されていないと制御部３１が判定すると（ステップＳ８０で、Ｎｏ）、処理がステップＳ４０に移行する。従って、メモリー２２の容量不足が解消されるまで、選択部３３と第１開放部３４とが開放処理を繰り返す。開放処理は、選択部３３が第２機能を選択し、メモリー２２のうち第２機能の使用している領域を第１開放部３４が開放する処理を示す（ステップＳ７０）。その結果、ステップＳ４０、ステップＳ５０、ステップＳ７０、及びステップＳ８０に示す処理が複数回行われる。なお、開放処理が複数回行われてもメモリー２２の容量不足が解消されず、第２機能が無いと選択部３３が判定した場合、表示部３ａがエラー表示を行う（ステップＳ５０、ステップＳ６０）。
【００６０】
メモリー２２の容量不足が解消されたと制御部３１が判定すると（ステップＳ８０で、Ｙｅｓ）、処理がステップＳ９０に移行する。
【００６１】
ステップＳ９０において、表示部３ａが第２機能を示す情報を表示する。詳細には、表示部３ａは、停止状態の第２機能を示す情報を表示する。
なお、ステップＳ４０、ステップＳ５０、ステップＳ７０、及びステップＳ８０に示す処理が複数回行われていた場合（ステップＳ８０）、複数の第２機能が停止状態になる。この場合、表示部３ａは複数の第２機能を示す情報を表示する。
【００６２】
ステップＳ１００において、制御部３１が、ジョブの実行を継続し、ジョブを完遂する。
【００６３】
ステップＳ１１０において、制御部３１は、第２機能を再起動する。つまり、制御部３１は、ジョブを完遂すると、第２機能のプログラムを実行する。その結果、第２機能が停止状態となる前の状態に戻る。
【００６４】
ステップＳ１２０において、表示部３ａが第２機能を示す情報の表示を消去する。表示部３ａが第２機能を示す情報の表示を消去すると、メモリー２２の容量不足を解消するための処理が終了する。
【００６５】
以上、図３及び図５を参照して説明したように、第１開放部３４は、メモリー２２のうち第２機能が使用している領域を開放する（ステップＳ７０）。従って、実現中でない第２機能が使用している領域を開放するので、画像形成装置１００を安定して稼働させつつ、使用可能なメモリー２２の容量を増やすことができる。その結果、メモリー２２を効率的に使用することができる。
【００６６】
また、メモリー２２を効率的に使用することで、画像形成装置１００に標準装備のメモリー２２で対応することが可能となり、メモリー２２を大容量にしなくてもよい。その結果、画像形成装置１００にかかるコストの増加を抑制することができる。
【００６７】
また、メモリー２２の容量が不足した場合に、メモリー２２のうち第２機能が使用している領域を第１開放部３４が開放する（ステップＳ２０、ステップＳ７０、及びステップＳ８０）。従って、第１開放部３４が必要以上にメモリー２２を開放することを抑制することができる。
【００６８】
また、メモリー２２の容量不足が解消されるまで、開放処理が繰り返される（ステップＳ７０、及びステップＳ８０）。従って、メモリー２２の容量不足の発生を効果的に抑制することができる。
【００６９】
また、表示部３ａは、第２機能を示す情報を表示する（ステップＳ９０）。従って、ユーザーは停止状態となった第２機能を、表示部３ａを介して認識することができる。また、制御部３１がジョブを完遂すると、表示部３ａが第２機能を示す情報の表示を消去する。従って、ユーザーは、第２機能が再起動したことを認識することができる。
【００７０】
［第２実施形態］
次に、図６及び図７を参照して、制御装置３０の第２の動作について説明する。図６は、制御装置３０の第２の動作を示すフローチャートである。
【００７１】
制御装置３０の第２の動作は、制御装置３０の第１の動作に対し、エラー表示（図５のステップＳ６０参照）に代えて、リブート処理を行う点が異なる。以下では、主に、制御装置３０の第１の動作と異なる点を説明する。
【００７２】
図６に示すように、ステップＳ５０において、第２機能が無い場合（ステップＳ５０で、Ｎｏ）、処理がステップＳ１３０に移行する。
【００７３】
ステップＳ１３０において、制御装置３０がリブート処理を実行する。制御装置３０がリブート処理を実行すると、処理が終了する。
【００７４】
次に、図７を参照して、リブート処理について説明する。図７は、リブート処理を示すフローチャートである。
【００７５】
図７に示すように、ステップＳ１３１において、記憶制御部３５は、メモリー２２上の所定の情報を記憶部２１に記憶させる。所定の情報は、制御部３１が処理中のジョブのデータと、ジョブの設定内容とを含む。ジョブは、ステップＳ１０で制御部３１が受信したジョブを示す。制御部３１が処理中のジョブのデータは、例えば、画像のコピーを行うジョブのようなジョブの内容を示す画像形成装置１００に対する制御コマンド、及び／又は、コピー対象の画像を示す画像データのようなジョブで使用されるデータを示す。ジョブの設定内容は、例えば、カラーコピー、又は両面印刷のようなジョブで設定された内容を示す。
【００７６】
ステップＳ１３２において、第２開放部３６は、複数の機能により使用されているメモリー２２の領域を開放する。具体的には、第２開放部３６は、画像形成装置１００をリブートする。その結果、第２開放部３６は、稼働中の全ての機能を停止させる。そして、稼働中の全ての機能が停止されることで、メモリー２２の領域が開放される。なお、第２開放部３６は、画像形成装置１００をリブートさせることなく、所定のメモリー管理用のプログラムを実行することでメモリー２２の領域を開放させてもよい。
【００７７】
ステップＳ１３３において、制御部３１は、複数の機能のうち、ジョブの実行に必要な機能を起動する。
【００７８】
ステップＳ１３４において、制御部３１は、記憶部２１に記憶されている所定の情報（ジョブのデータ、及びジョブの設定内容）を、メモリー２２の領域に復元する。
【００７９】
ステップＳ１３５において、制御部３１が、再度ジョブを実行する。そして、制御部３１は、ジョブの実行中にメモリー２２の容量が不足しているか否かを判定する。つまり、制御部３１は、メモリー２２の容量不足が解消されたか否かを判定する。
【００８０】
メモリー２２の容量不足が解消されていないと制御部３１が判定すると（ステップＳ１３５で、Ｎｏ）、処理がステップＳ１３６に移行する。
【００８１】
メモリー２２の容量不足が解消されたと制御部３１が判定すると（ステップＳ１３５で、Ｙｅｓ）、処理がステップＳ１３７に移行する。
【００８２】
ステップＳ１３６において、表示部３ａは、メモリー２２の容量不足を示すエラー表示を行う。その結果、処理が終了する。なお、表示部３ａは、本発明のエラー表示部の一例である。
【００８３】
ステップＳ１３７において、制御部３１が、ジョブの実行を継続し、ジョブを完遂する。
【００８４】
ステップＳ１３８において、制御部３１は、残りの機能を起動する。残りの機能は、ステップＳ１３２において画像形成装置１００がリブートすることで停止された機能のうち、ステップＳ１３３で起動されなかった機能を示す。その結果、処理が終了する。
【００８５】
以上、図６、及び図７を参照して説明したように、制御部３１は、複数の機能のうちジョブの実行に必要な機能のみを起動して、ジョブを実行する。従って、制御部３１により使用されるメモリー２２の領域を効果的に低減することができる。その結果、メモリー２２の容量不足の発生を抑制することができる。
【００８６】
以上、図面（図１〜図７）を参照しながら本発明の実施形態について説明した。但し、本発明は、上記の実施形態に限られるものではなく、その要旨を逸脱しない範囲で種々の態様において実施することが可能である（例えば、（１）〜（２））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【００８７】
（１）第１実施形態、及び第２実施形態の画像形成装置１００はシートにトナー画像を形成する。しかし、本発明はこれに限定されない。画像形成装置１００は、シートにインクを吐出し、シートにインク画像を形成してもよい。
【００８８】
（２）第１実施形態、及び第２実施形態の設定部３２は、図３に示す優先順位を設定する。しかし、本発明はこれに限定されない。設定部３２は、図３に示す優先順位に代えて、第１優先順位、又は、第２優先順位を設定してもよい。以下、優先順位の変形例である、第１優先順位と、第２優先順位とについて説明する。
【００８９】
設定部３２が第１優先順位を設定する手順について説明する。
【００９０】
まず、設定部３２は、複数の第１機能のうち、メモリー２２の使用量が多い第１機能ほど、第１優先順位の上位に設定する。次に、メモリー２２の使用量の等しい第１機能が複数ある場合、設定部３２は、メモリー２２の使用量の等しい複数の第１機能のうち、実現回数が少ない第１機能ほど、第１優先順位の上位に設定する。
選択部３３は、第１優先順位に基づいて、複数の第１機能のうち停止させる第２機能を選択する。
【００９１】
優先順位を第１優先順位のように設定することで、メモリー２２の容量が不足した場合、メモリー２２の使用量の多い第１機能から優先的に第２機能として選択することができる。従って、メモリー２２の使用可能な領域を効率的に増大させることが可能となる。
【００９２】
設定部３２が第２優先順位を設定する手順について説明する。
【００９３】
まず、設定部３２は、複数の第１機能の各々について、第１予備順位と、第２予備順位とを設定する。第１予備順位では、複数の第１機能のうち、実現回数が少ない第１機能ほど、第１予備順位の上位に設定される。第２予備順位では、複数の第１機能のうち、メモリー２２の使用量が多い第１機能ほど、第２予備順位の上位に設定される。
次に、設定部３２は、第１予備順位と、第２予備順位とに基づいて第２優先順位を設定する。具体的には、設定部３２は、複数の第１機能の各々について、第１予備優先順位の順位と第２予備優先順位の順位とを足した合計値を算出する。そして、設定部３２は、合計値の小さい第１機能ほど、第２優先順位の上位に設定する。
選択部３３は、第２優先順位に基づいて、複数の第１機能のうち停止させる第２機能を選択する。
【００９４】
優先順位を第２優先順位のように設定することで、第１機能の実現回数とメモリー２２の使用量とを同等に考慮して、優先順位を設定することができる。その結果、優先順位を合理的に設定することができる。
【産業上の利用可能性】
【００９５】
本発明は、画像形成装置の分野に利用可能である。
【符号の説明】
【００９６】
３ａ    表示部
２１    記憶部
２２    メモリー
３１    制御部
３２    設定部
３３    選択部
３４    第１開放部
３５    記憶制御部
３６    第２開放部
１００  画像形成装置
【図１】
2018207474.tif 000003
【図２】
2018207474.tif 000004
【図３】
2018207474.tif 000005
【図４】
2018207474.tif 000006
【図５】
2018207474.tif 000007
【図６】
2018207474.tif 000008
【図７】
2018207474.tif 000009